(57)【要約】【解決手段】把持柄に一対のガード腕４を互いに間隔をあけて設けるとともに両ガード腕４間で刃体５を設け、両ガード腕４で互いに離間する先端部９ａ間に間隙Ｓを設けている。刃体５の刃先５ａを間隙Ｓの内側で間隙Ｓに面して設けている。【効果】両ガード腕４により使用者の指や刃先５ａを保護するばかりではなく、彫刻刀の使い勝手を良くすることができる。【選択図】図２
2007307803.tif 000002
【特許請求の範囲】
【請求項１】
把持柄に一対のガード腕を互いに間隔をあけて設けるとともに、把持柄に設けた刃体を挟む両側にこの両ガード腕を配置し、この両ガード腕で互いに離間する先端部間に間隙を設けたことを特徴とする彫刻刀。
【請求項２】
前記刃体の先端部に設けた刃先を前記両ガード腕間において前記間隙の内側で間隙に面して設けるかまたはこの間隙に設けたことを特徴とする請求項１に記載の彫刻刀。
【請求項３】
前記両ガード腕はそれぞれ前記先端部を含む鉤部を有し、その鉤部は互いに接近するように屈曲されていることを特徴とする請求項１または請求項２に記載の彫刻刀。
【請求項４】
前記両ガード腕は、把持柄側から延びる支持腕部と、その支持腕部から延びて前記先端部を有する案内腕部とを備え、この両案内腕部はそれぞれこの両支持腕部間を結ぶ想定面を挟む両側のうち一方の側へ屈曲されて他方の側に面する案内面を有し、前記刃体の先端部に設けた刃先はこの両案内腕部間に設けられていることを特徴とする請求項１または請求項２または請求項３に記載の彫刻刀。
【請求項５】
前記刃先の一部は前記両案内腕部の案内面を互いに結ぶ載置面から突出していることを特徴とする請求項４に記載の彫刻刀。
【発明の詳細な説明】
【技術分野】
【０００１】
本発明は、使用者の指や刃先を保護するガードを有する彫刻刀に関するものである。
【背景技術】
【０００２】
従来、下記特許文献１にかかる彫刻刀は、把持柄に取着された刃体の周囲を囲うループ状のガードを備えている。
【特許文献１】特許第３５４０７１９号公報
【発明の開示】
【発明が解決しようとする課題】
【０００３】
上記特許文献１では、刃体の刃先に面する領域がループ状ガードの先端部により塞がれているため、使用者がその領域を見にくくなり、彫刻刀の使い勝手が悪くなる。
この発明は、ガードの形状を改良して彫刻刀の使い勝手を良くすることを目的としている。
【課題を解決するための手段】
【０００４】
後記実施形態の図面（図１〜３に示す第１実施形態、図４〜５に示す第２実施形態）の符号を援用して本発明を説明する。
請求項１の発明にかかる彫刻刀（第１〜２実施形態に対応）においては、把持柄１に一対のガード腕４を互いに間隔をあけて設けるとともに、把持柄１に設けた刃体５を挟む両側にこの両ガード腕４を配置し、この両ガード腕４で互いに離間する先端部９ａ間に間隙Ｓを設けている。
【０００５】
請求項１の発明では、両ガード腕４により使用者の指や刃先５ａを保護するとともに、両ガード腕４間の間隙Ｓにより使用者が刃体５による削り面Ｒを見易くなる。
請求項１の発明を前提とする請求項２の発明（第１〜２実施形態に対応）において、前記刃体５の先端部に設けた刃先５ａを前記両ガード腕４間において前記間隙Ｓの内側で間隙Ｓに面して設けるかまたはこの間隙Ｓに設けている。請求項２の発明では、刃体５の刃先５ａに面する領域で削り面Ｒが間隙Ｓにより開放されるため、使用者がその領域を見易くなる。
【０００６】
請求項１または請求項２の発明を前提とする請求項３の発明（第１〜２実施形態に対応）において、前記両ガード腕４はそれぞれ前記先端部９ａを含む鉤部９を有し、その鉤部９は互いに接近するように屈曲されている。請求項３の発明では、刃体５を挟む両側に両ガード腕４を配置する際に両ガード腕４間に十分な間隔を持たせても両鉤部９により先端部９ａ間の間隙Ｓを必要最小限に抑えることができるため、使用時に両ガード腕４を削り面Ｒに当てがった際に安定させるとともに、使用者の指や刃先５ａをより一層保護することができる。
【０００７】
請求項１または請求項２または請求項３の発明を前提とする請求項４の発明（第１実施形態に対応）において、前記両ガード腕４は、把持柄１側から延びる支持腕部６と、その支持腕部６から延びて前記先端部９ａを有する案内腕部７とを備え、この両案内腕部７はそれぞれこの両支持腕部６間を結ぶ想定面Ｐを挟む両側のうち一方の側へ屈曲されて他方の側に面する案内面８を有し、前記刃体５の先端部に設けた刃先５ａはこの両案内腕部７間に設けられている。請求項４の発明では、使用時に両案内腕部７の案内面８を削り面Ｒに当てがった際に把持柄１を削り面Ｒから離すことができるとともに、その案内面８に沿って把持柄１を移動させることにより削り動作を安定させることができる。
【０００８】
請求項４の発明を前提とする請求項５の発明（第１実施形態に対応）において、前記刃先５ａの一部は前記両案内腕部７の案内面８を互いに結ぶ載置面Ｑから突出している。請求項５の発明では、案内面８から適度に突出した刃先５ａにより削り面Ｒを円滑に削ることができる。
【０００９】
請求項１または請求項２または請求項３の発明を前提とする第６の発明（第２実施形態に対応）において、前記両ガード腕４は、それぞれこの両ガード腕４間を結ぶ想定面Ｐを挟む両側のうち一方の側へ屈曲される弾性を有し、前記刃体５の先端部に設けた刃先５ａはこの両ガード腕４間に設けられている。第６の発明では、両ガード腕４を削り面Ｒに当てがう際に両ガード腕４に対する押し付け力を変えると両ガード腕４の屈曲度が変更されるため、削り面Ｒに対する把持柄１の離間距離や、削り面Ｒに対する両ガード腕４及び刃先５ａの状態を使用し易いように変えることができる。
【００１０】
請求項１から請求項５のうちいずれかの請求項の発明、または第６の発明を前提とする第７の発明（第１〜２実施形態に対応）において、前記両ガード腕４は把持柄１に対し一体成形されている。第７の発明では、両ガード腕４を把持柄１とともに容易に成形することができる。
【発明の効果】
【００１１】
本発明は、両ガード腕４により使用者の指や刃先５ａを保護するばかりではなく、彫刻刀の使い勝手を良くすることができる。
【発明を実施するための最良の形態】
【００１２】
まず、本発明の第１実施形態にかかる彫刻刀について図１〜３を参照して説明する。
図１に示す把持柄１は、ポリプロピレン樹脂等の硬質樹脂により成形されて把持柄１の外側に露出する主体部２と、その主体部２の硬質樹脂よりも柔軟なエラストマー樹脂等の軟質樹脂により成形されて主体部２の外側で把持柄１の外側に露出する表面部３とを備えている。図２（ａ）（ｂ）にも示すように、この把持柄１の頭部側において、一対のガード腕４は、主体部２に対し一体成形され、把持柄１の延設方向に沿う長手方向Ｘに対し直交する幅方向Ｙの両側で、互いに間隔をあけて主体部２から延設されて不用意に撓まない程度の曲げ強度を有している。この両ガード腕４間で刃体５が主体部２に挿着されている。なお、この把持柄１の表面部３において幅方向Ｙの両側には凹状の指当部３ａがこの両ガード腕４に隣接して形成されている。
【００１３】
前記両ガード腕４は、長手方向Ｘに沿って延びる支持腕部６と、その支持腕部６から延びる案内腕部７とを備えている。この両案内腕部７はそれぞれこの両支持腕部６間を結ぶ幅方向Ｙに沿った想定面Ｐを挟む上下方向Ｚの両側のうち上側へ屈曲されて下側に面する案内面８を有している。この両案内腕部７はそれぞれ幅方向Ｙで互いに接近するように屈曲する鉤部９を有している。この両鉤部９は幅方向Ｙで相対向する先端部９ａを含んでいる。この両先端部９ａは互いに離間し、その両先端部９ａ間には間隙Ｓを持たせている。前記刃体５の先端部に形成された刃先５ａは、平面視の場合、両案内腕部７間においてこの間隙Ｓの内側で間隙Ｓに面して配置され、この間隙Ｓにおける幅方向Ｙの寸法ＷＳとほぼ等しい幅方向寸法Ｗ５を有している。この幅方向寸法ＷＳと幅方向寸法Ｗ５とを比較した場合、一方を他方よりも大きく設定しても小さく設定してもよい。ちなみに、この幅方向寸法Ｗ５は２〜１５ｍｍに設定してもよく、この幅方向寸法ＷＳは３〜１５ｍｍに設定するかまたはＷ５の０．５〜１．５倍に設定してもよい。図示しないが、この間隙Ｓに刃先５ａを配置してもよい。側面視の場合、この刃先５ａの一部は両案内腕部７の案内面８を互いに結ぶ載置面Ｑから下側へ突出しているが、刃先５ａの全部をこの載置面Ｑから下側へ突出させてもよい。例えば、両ガード腕４全体のサイズにもよるが、０．１〜１０ｍｍぐらい突出させる。
【００１４】
なお、図１において彫刻刀の全長Ａは約１６５ｍｍであり、図２（ａ）において両ガード腕４間の深さＢは約３０ｍｍである。また、図２（ａ）において両ガード腕４間の最大幅方向寸法Ｃは把持柄１の最大幅方向寸法と同じかまたは把持柄１の最大幅方向寸法よりも大きくなっている。さらに、図２（ｂ）においてこの両ガード腕４の上下方向Ｚの寸法は先端部９ａ側ほど次第に小さくなっている。
【００１５】
図３に示すように、把持柄１を傾けて把持した状態で、両ガード腕４の案内腕部７の案内面８を削り面Ｒに当てがい、その削り面Ｒに沿って案内面８を滑らしながら刃先５ａにより削り面Ｒを削り取る。その使用時、両ガード腕４により使用者の指や刃先５ａを保護する。刃体５の刃先５ａに面する領域で削り面Ｒが間隙Ｓにより開放されるため、使用者はその領域を見ながら削り作業を行うことができる。
【００１６】
次に、本発明の第２実施形態にかかる彫刻刀について第１実施形態との相違点を中心に図４〜５を参照して説明する。
図４及び図５（ａ）に示すように、支持腕部６と案内腕部７とからなる両ガード腕４の全体は、それぞれ、長手方向Ｘに沿って延設され、軟質樹脂により成形されているため、この両ガード腕４間を結ぶ想定面Ｐを挟む上下両側へ屈曲される弾性を有している。両ガード腕４を硬質樹脂により成形する際にも、両ガード腕４に切込みを形成して撓み易くすることにより弾性を持たせることもできる。平面視の場合、刃体５の刃先５ａは、両ガード腕４間において間隙Ｓの内側で間隙Ｓに面して配置され、間隙Ｓにおける幅方向Ｙの寸法とほぼ等しい幅方向寸法を有している。側面視の場合、この刃体５の全部は両ガード腕４間の内側に隠され、刃先５ａにおける上下方向Ｚの寸法が両案内腕部７における上下方向Ｚの寸法と同じかまたは小さくなっているが、刃先５ａの一部を両ガード腕４間の内側から外側へ若干突出させてもよい。
【００１７】
まず、図５（ａ）に示すように、把持柄１を傾けて把持した状態で、両ガード腕４の案内腕部７を削り面Ｒに当てがう。次に、図５（ｂ）に示すように、両ガード腕４を削り面Ｒに押し付けると、両ガード腕４がその弾性により撓んで屈曲され、両案内腕部７の案内面８が削り面Ｒに当てがわれる。その後、削り面Ｒに沿って案内面８を滑らしながら刃先５ａにより削り面Ｒを削り取る。その使用時、両ガード腕４により使用者の指や刃先５ａを保護する。刃体５の刃先５ａに面する領域で削り面Ｒが間隙Ｓにより開放されるため、使用者はその領域を見ながら削り作業を行うことができる。両ガード腕４に対する押し付け力を解除すると、両ガード腕４の弾性により図５（ａ）の状態に戻る。
【００１８】
前記両実施形態以外にも下記のように構成してもよい。
＊  両ガード腕４を把持柄１に対し着脱可能に設ける。
＊  両案内腕部７の鉤部９で先端部９ａを球体形状または半球体形状に形成する。また、鉤部９をなくして支持腕部６と案内腕部７とからなる両ガード腕４を直線的に形成し、その場合も両案内腕部７の先端部９ａを球体形状または半球体形状に形成する。
【００１９】
＊  把持柄１及び両ガード腕４の材質としては、金属や木や竹や紙など、樹脂以外のものであってもよい。
＊  刃体５の材質としては、炭素鋼や炭素工具鋼やステンレス鋼であっても、また、それらの鋼を積層して接合した積層材であってもよい。
【００２０】
＊  刃体５の種類としては、丸刀や角刀を採用することができる。
＊  第２実施形態において、両ガード腕４を表面部３と一体成形してもよい。
＊  第２実施形態において両ガード腕４については、硬質材と軟質材とを複合させてもよく、例えば、硬質材の薄板の周囲に軟質材を設けてもよい。
【００２１】
＊  前記両ガード腕４において長手方向Ｘの長さを互いに相異させてもよい。
＊  前記両ガード腕４の形状を幅方向Ｙで非対称にしてもよい。
＊  図示しないが、把持柄の頭部から延びる刃体に沿って一本の支持腕部をその刃体に対し並べて把持柄の頭部から延設し、刃体の刃先の付近でこの支持腕部の先端部から両ガード腕を二股状に分岐させて設け、その両ガード腕間に刃先を配置する。
【図面の簡単な説明】
【００２２】
【図１】第１実施形態にかかる彫刻刀を示す斜視図である。
【図２】（ａ）は第１実施形態にかかる彫刻刀の頭部側を示す部分平面図であり、（ｂ）はこの彫刻刀の頭部側を側面側から見た部分断面図である。
【図３】第１実施形態にかかる彫刻刀の使用状態を示す側面図である。
【図４】第２実施形態にかかる彫刻刀を示す斜視図である。
【図５】（ａ）（ｂ）は第２実施形態にかかる彫刻刀の使用状態を示す側面図である。
【符号の説明】
【００２３】
１…把持柄、４…ガード腕、５…刃体、５ａ…刃先、６…支持腕部、７…案内腕部、８…案内面、９…鉤部、９ａ…先端部、Ｓ…間隙、Ｐ…想定面、Ｑ…載置面。
【図１】
2007307803.tif 000003
【図２】
2007307803.tif 000004
【図３】
2007307803.tif 000005
【図４】
2007307803.tif 000006
【図５】
2007307803.tif 000007